(57)【要約】【課題】複数機種の被制御機器を、電話回線を介した電話機でリモ−トコントロ−ルできる汎用性のあるリモ−トコントロ−ルホ−ムオ−トメ−ション装置を提供することを目的とする。【解決手段】上記リモ−トコントロ−ルホ−ムオ−トメ−ション装置は、エアコン等を制御するためのリモ−トコントロ−ル信号を出力するリモコン信号送信部１２と、電話回線制御回路９と、その電話回線制御回路９に対して電話機Ｔからリモ−ト操作信号が入力されたとき、インプット自在に予め記憶部１４に記憶された当該被制御機器の制御デ−タを読み出したうえ、その制御デ−タに基づいたリモ−トコントロ−ル信号をリモコン信号送信部１２から出力させるマイコン３とを備えた構成にすることである。【選択図】        図１
2005354741.tif 000002
【特許請求の範囲】
【請求項１】
被制御機器を制御するためのリモ−トコントロ−ル信号を出力するリモコン信号送信部と、電話用インタ−フェイスと、その電話用インタ−フェイスに対して電話機から前記被制御機器を操作するためのリモ−ト操作信号が入力されたとき、インプット自在に予め記憶部に記憶された当該被制御機器の制御デ−タを読み出したうえ、その制御デ−タに基づいたリモ−トコントロ−ル信号を前記リモコン信号送信部から出力させる制御部とを備えたことを特徴とするリモ−トコントロ−ルホ−ムオ−トメ−ション装置。
【請求項２】
被制御機器を制御するためのリモ−トコントロ−ル信号を出力するリモコン信号送信部と、電話用インタ−フェイスと、前記被制御機器の専用リモコンからのリモコン信号を受信したとき、そのリモコン信号を当該被制御機器を制御するための制御デ−タに変換するリモコン信号受信部と、そのリモコン信号受信部から出力された前記制御デ−タを記憶する記憶部と、電話機から前記電話用インタ−フェイスに対して前記被制御機器を操作するためのリモ−ト操作信号が入力されたとき、前記記憶部に記憶された制御デ−タを読みだして当該被制御機器のリモ−トコントロ−ル信号を前記リモコン信号送信部から出力させる学習機能付きの制御部とを備えたことを特徴とするリモ−トコントロ−ルホ−ムオ−トメ−ション装置。
【請求項３】
制御デ−タが正確に記憶部に記憶されたか否かを確認するためのテスト手段を備えたことを特徴とする請求項１、又は請求項２記載のリモ−トコントロ−ルホ−ムオ−トメ−ション装置。
【請求項４】
制御部は、制御デ−タに基づいたリモ−トコントロ−ル信号をリモコン信号送信部から出力させる際、複数の制御デ−タに基づいたリモ−トコントロ−ル信号をシ−ケンシャルに出力させることを特徴とする請求項１、請求項２又は請求項３記載のリモ−トコントロ−ルホ−ムオ−トメ−ション装置。
【請求項５】
制御部は、複数の制御デ−タを各チャンネル毎に割り当てて各制御デ−タに基づいたリモ−トコントロ−ル信号をリモコン信号送信部から出力させることを特徴とする請求項１、請求項２、請求項３、又は請求項４記載のリモ−トコントロ−ルホ−ムオ−トメ−ション装置。
【請求項６】
制御部は、電話機により被制御機器を操作するためのリモ−ト操作が行われるとき、リモ−ト操作する人との間で対話によりリモ−ト操作設定を可能とする対話式リモ−ト操作手段を有することを特徴とする請求項１、請求項２、請求項３、請求項４、又は請求項５記載のリモ−トコントロ−ルホ−ムオ−トメ−ション装置。
【発明の詳細な説明】
【技術分野】
【０００１】
本発明は、家屋あるいは小規模事務所等に装備されたエアコン、ビデオ機器などの被制御機器を電話回線を介してコントロ−ルするためのリモ−トコントロ−ルホ−ムオ−トメ−ション装置に関する。
【背景技術】
【０００２】
従来、家屋あるいは小規模事務所等に装備されたエアコン、ビデオ機器などの被制御機器を電話回線を介してコントロ−ルするためのリモ−トコントロ−ルホ−ムオ−トメ−ション装置は、遠隔の電話機からの操作により電話回線を介して入力されたリモ−ト操作信号をデコ−ドしたうえ、エアコンのオン又はオフ制御信号や、ビデオ機器の録画制御信号などに変換して出力するコントロ−ラと、そのコントロ−ラから出力された上記制御信号を、エアコン又はビデオ機器が入力可能な信号に変換するアダプタとを備え、コントロ−ラとアダプタと被制御機器とを有線接続するように構成されたものがある。
あるいは、上記のように被制御機器に有線接続されるアダプタの代わりに赤外線専用リモコンを用い、コントロ−ラと赤外線専用リモコンとを有線接続するとともに、赤外線専用リモコンから被制御機器に対する信号伝送は赤外線信号で行われるリモ−トコントロ−ルホ−ムオ−トメ−ション装置がある。
【発明の開示】
【発明が解決しようとする課題】
【０００３】
上記従来のリモ−トコントロ−ルホ−ムオ−トメ−ション装置は、エアコン、ビデオ機器などの制御対象となる機器が限定されるため汎用性が無いという問題と、装置が複雑であるとともに有線接続部分が多く、高価であるという問題がある。
【０００４】
そこで本発明では、制御対象となる機器が限定されないという汎用性があり、且つ簡単な構成で有線接続部分が少ないリモ−トコントロ−ルホ−ムオ−トメ−ション装置を提供することを解決すべき技術的課題とするものである。
【課題を解決するための手段】
【０００５】
上記の課題を解決するための第１の技術的手段は、リモ−トコントロ−ルホ−ムオ−トメ−ション装置を、被制御機器を制御するためのリモ−トコントロ−ル信号を出力するリモコン信号送信部と、電話用インタ−フェイスと、その電話用インタ−フェイスに対して電話機から前記被制御機器を操作するためのリモ−ト操作信号が入力されたとき、インプット自在に予め記憶部に記憶された当該被制御機器の制御デ−タを読み出したうえ、その制御デ−タに基づいたリモ−トコントロ−ル信号を前記リモコン信号送信部から出力させる制御部とを備えた構成にすることである。
【０００６】
また第２の技術的手段は、リモ−トコントロ−ルホ−ムオ−トメ−ション装置を、被制御機器を制御するためのリモ−トコントロ−ル信号を出力するリモコン信号送信部と、電話用インタ−フェイスと、前記被制御機器の専用リモコンからのリモコン信号を受信したとき、そのリモコン信号を当該被制御機器を制御するための制御デ−タに変換するリモコン信号受信部と、そのリモコン信号受信部から出力された前記制御デ−タを記憶する記憶部と、電話機から前記電話用インタ−フェイスに対して前記被制御機器を操作するためのリモ−ト操作信号が入力されたとき、前記記憶部に記憶された制御デ−タを読み出して当該被制御機器のリモ−トコントロ−ル信号を前記リモコン信号送信部から出力させる学習機能付きの制御部とを備えた構成にすることである。
【発明の効果】
【０００７】
請求項１のリモ−トコントロ−ルホ−ムオ−トメ−ション装置によれば、電話機から、リモ−ト操作信号が入力されたとき、制御部は、予め任意にインプットされ、記憶部に記憶された当該被制御機器の制御デ−タを読み出したうえ、その制御デ−タに基づいたリモ−トコントロ−ル信号を前記リモコン信号送信部から出力させ、当該被制御機器を制御する。そのため、あらゆる被制御機器の制御デ−タをインプットしておくことにより、汎用性が高くなる。
【０００８】
また請求項２のリモ−トコントロ−ルホ−ムオ−トメ−ション装置によれば、被制御機器に附属する携帯型の専用リモコンから発信されるリモコン信号をリモコン信号受信部で受信することにより、当該被制御機器を制御するための制御デ−タに変換され、記憶部に記憶されるため、電話機から、当該被制御機器を制御するためのリモ−ト操作信号が入力されたとき、制御部は、当該被制御機器を制御するための学習された制御デ−タを記憶部から読み出し、その制御デ−タに応じたリモ−トコントロ−ル信号を前記リモコン信号送信部から出力させて当該被制御機器を制御する。そのため、あらゆる被制御機器がリモ−ト操作可能となり更に汎用性が高くなる。
【０００９】
また請求項３のリモ−トコントロ−ルホ−ムオ−トメ−ション装置によれば、テスト手段は、制御デ−タが確実に記憶部に記憶されたか否か、及び実際の作動が確実に行われるか否かを確認する。
【００１０】
また請求項４のリモ−トコントロ−ルホ−ムオ−トメ−ション装置によれば、リモ−トコントロ−ル信号をリモコン信号送信部から出力させる際に、関連する制御デ−タに基づいたリモ−トコントロ−ル信号をシ−ケンシャルに出力させることができるため、例えばビデオ録画のように、ビデオオン、テレビチャンネル合わせ、録画といった複数信号の操作が必要なときに、電話機によるリモ−ト操作が簡単になる。
【００１１】
また請求項５のリモ−トコントロ−ルホ−ムオ−トメ−ション装置によれば、複数の制御デ−タを各チャンネル毎に割り当てて各制御デ−タに基づいたリモ−トコントロ−ル信号をリモコン信号送信部から出力させることができるため、複数の被制御機器を１台で同時的に制御することができる。
【００１２】
更に請求項６のリモ−トコントロ−ルホ−ムオ−トメ−ション装置によれば、電話機により被制御機器を操作するためのリモ−ト操作が行われるとき、リモ−ト操作する人との間で対話によりリモ−ト操作設定を可能とする対話式リモ−ト操作手段を設けたため、リモ−ト操作を簡単に、且つ確実に行うことができる。
【発明を実施するための最良の形態】
【００１３】
次に、本発明の実施例を図面を参照しながら説明する。
図１は、エアコン、ビデオ機器（ビデオ機器内蔵のテレビを含む）、ファンヒ−タ等の被制御機器Ｍを、電話回線Ｌを介した電話機Ｔによるリモ−ト操作によりコントロ−ルするリモ−トコントロ−ルホ−ムオ−トメ−ション装置１の全体的な構成を示したブロック図である。
【００１４】
リモ−トコントロ−ルホ−ムオ−トメ−ション装置１は、１個のケ−ス２の内部に、マイコン３を中枢とする電子回路が収納されたものであり、ケ−ス２の操作面には、図２に示すような操作用、及び表示用部品が配置されている。尚、図２に示した操作用、及び表示用部品は、図１では操作部４、表示部５として一括して示しており、操作部４の操作信号はマイコン３に送られる一方、表示部５に対する表示信号はマイコン３から出力される。
【００１５】
ケ−ス２の側面には、電話回線Ｌのモジュラ−ジャックと接続される回線接続コネクタ６と、併設電話機７と接続される電話機用コネクタ８とが取り付けられている。その回線接続コネクタ６及び電話機用コネクタ８は、電話回線Ｌに適合するインタ−フェイス回路を構成する電話回線制御回路９と接続されている。
【００１６】
上記電話回線制御回路９には、電話回線Ｌを通して受信した音声信号の中からＤＴＭＦト−ン（プッシュト−ン）を認識するためのＤＴＭＦト−ン検出回路１０と、電話回線Ｌに対してオペレ−タ応答のための音を発生させる発音回路１１とが接続されている。そして、ＤＴＭＦト−ン検出回路１０と、発音回路１１とはマイコン３に接続されている。
【００１７】
従って、ＤＴＭＦト−ン検出回路１０は、マイコン３に対してＤＴＭＦト−ン検出信号を出力する一方、発音回路１１は、マイコン３からの指令に基づいてオペレ−タ応答のための音を発生させ、電話回線Ｌに送出する。
【００１８】
マイコン３に接続されたリモコン信号送信部１２は、マイコン３の指令によりエアコン、ビデオ機器（ビデオ機器内蔵のテレビを含む）、ファンヒ−タ等の被制御機器Ｍに対して赤外光のリモコン信号を出力する。この際、リモコン信号送信部１２は、マイコン３から出力された制御デ−タを変調し、この変調された電気信号を赤外光のリモコン信号に変換して出力する。
【００１９】
また、マイコン３に接続されたリモコン信号受信部１３は、被制御機器Ｍそれぞれの専用リモコンＲから発光された赤外光変調リモコン信号を受信し、その受信信号をデ−タに変換したうえ、そのデ−タをマイコン３に出力する。マイコン３はそのデ−タを解析したうえ、当該被制御機器を制御する制御デ−タとして記憶部１４に記憶させる。従って、リモコン信号受信部１３とマイコン３と記憶部１４とは、被制御機器Ｍを制御するための制御デ−タの学習機能を構成する。
【００２０】
上記のように、リモ−トコントロ−ルホ−ムオ−トメ−ション装置１は、上記の学習機能を有するため、被制御機器Ｍの制御デ−タを記憶することができることから、学習された制御デ−タに基づいた被制御機器の制御が可能となり、汎用性を有するものとなる。また、必要な有線接続部は基本的に電話回線Ｌのみである。
【００２１】
また、リモ−トコントロ−ルホ−ムオ−トメ−ション装置１は、前述の操作部４と表示部５とを用いて被制御機器Ｍの制御デ−タをインプットし、その制御デ−タを記憶部１４に記憶させることができる。この場合、前述のリモコン信号受信部１３を機能させなくても良い。
【００２２】
また、前述の操作部４と表示部５とを用いて記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００２３】
上記記憶部１４に記憶される制御デ−タは、様々な形態で記憶される。
例えば、ビデオ機器を録画制御するような制御デ−タを記憶する場合、「ビデオ電源オン」、「テレビチャンネル１にセット」、「録画スタ−ト」というような制御デ−タを１チャンネル（上記のテレビチャンネル１とは異なる）内にシ−ケンシャルに記憶する。このように関連する制御デ−タを１チャンネル内にシ−ケンシャルに記憶することにより、ビデオ機器の制御のように複数の制御デ−タを必要とする場合、前述の電話機Ｔによるリモ−ト操作が簡単になる。
【００２４】
また、例えば「エアコンオン」、「エアコンオフ」、「ビデオ録画テレビチャンネル１」、「ビデオ録画テレビチャンネル５」などの個々の制御デ−タをチャンネル毎の制御デ−タとして記憶部１４に記憶するというように、複数のチャンネルを設けても良い。このように、複数のチャンネルを設けた場合には、同一の部屋に設置された複数の被制御機器Ｍの制御が可能になる。
【００２５】
前述したようにリモ−トコントロ−ルホ−ムオ−トメ−ション装置１には発音回路１１が設けられているため、前述の電話機Ｔによるリモ−ト操作の際、電話機Ｔを操作する人と、発音回路１１から発生される音声との対話が可能である。そのため、電話機Ｔで被制御機器Ｍを制御するためのリモ−ト操作において、例えば「ビデオ録画」の指示を出すと、発音回路１１からテレビチャンネルＮＯの指示要求音声が発生されるため、「テレビチャンネルＮＯ」の指示をすると、録画開始時刻指示要求音声が発生されるため、「録画開始時刻」を指示すると、録画終了時刻指示要求音声が発生されるため、「録画終了時刻」を指示するというように、対話によるリモ−ト操作が可能となる。
【００２６】
このような対話式のリモ−ト操作が可能となるため、前述のチャンネル数を減らすことができる。また、録画開始時刻などの、ほぼ無限の組み合わせも可能であり、かなり複雑なリモ−ト操作も可能になる。
【００２７】
リモ−トコントロ−ルホ−ムオ−トメ−ション装置１において、図示していない無線式の親機を配設し、この親機付きのリモ−トコントロ−ルホ−ムオ−トメ−ション装置１を電話回線のロ−ゼットが設けられた部屋に置く一方、電話回線のロ−ゼットが設置されていない部屋に無線式の子機を設けたサブのリモ−トコントロ−ルホ−ムオ−トメ−ション装置を設置すれば、親機と子機間の電波による信号伝送が可能となり、ロ−ゼットが設置されていない部屋のエアコンなどの制御がサブのリモ−トコントロ−ルホ−ムオ−トメ−ション装置により可能となる。
【００２８】
また、前述したように、リモ−トコントロ−ルホ−ムオ−トメ−ション装置１は、操作部４と表示部５とを用いて被制御機器Ｍの制御デ−タをインプットし、その制御デ−タを記憶部１４に記憶させることができる。そのため、図示していないディップスイッチで、例えばエアコンはシャ−プ（メ−カ−名）に設定し、ビデオ機器はＮＥＣ（メ−カ−名）に設定するとともに、チャンネル１に「エアコンオン」、チャンネル２に「エアコンオフ」、チャンネル３に「ビデオ録画テレビチャンネル１」などとプリセットしておけば、電話機ＴでチャンネルＮＯを指示することにより、リモ−ト操作が可能となる。即ち、学習することなく、前述の記憶部１４に制御デ−タを記憶させることができる。
【００２９】
次に、リモ−トコントロ−ルホ−ムオ−トメ−ション装置１の作用を、図３〜図８の信号伝送順序説明図、及び図９〜図１２の制御フロ−チャ−トに基づいて説明する。
（１）本体の基本操作
本体の基本操作の信号伝送順序は、図３の丸１〜丸３及び図９のステップＳ１〜Ｓ２に示すように、最初、操作部４を操作すると操作部４からの操作信号がマイコン３に伝送されるため、マイコン３から表示部５に対して表示信号が出力され、表示部５に操作に伴う表示が成される。
【００３０】
（２）専用リモコンからのリモコン信号記憶操作
コントロ−ルしたい機器の専用リモコンから発信されるリモコン信号を制御デ−タに変換して記憶部１４に記憶するためのリモコン信号記憶操作であって、図４の丸１〜丸８、及び図１０のステップＳ１〜Ｓ５に示すように、最初、操作部４を記憶モ−ドに設定すると、その記憶モ−ド信号がマイコン３に伝送されるため、マイコン３から表示部５に対して記憶モ−ド表示信号が出力され、表示部５に記憶モ−ドであることが表示される。次に、コントロ−ルしたい機器の専用リモコンのコントロ−ルしたい信号をリモコン信号受信部１３に発信する。リモコン信号受信部１３は、受信したリモコン信号を光電変換し、マイコン３に伝送する。マイコン３は、そのリモコン信号を入力したと同時に発音回路１１で受信音を発生させ、更に、その信号を制御デ−タに変換して記憶部１４に記憶させるとともに、表示部５に記憶が完了した旨の表示をさせる。その表示を確認したうえ、記憶モ−ドを解除する。
【００３１】
（３）外出先からエアコン等をコントロ−ルするときの操作
（リモ−トコントロ−ルホ−ムオ−トメ−ション装置１が電話回線Ｌを接続した場合）
図５の丸１〜丸１２、及び図１１のステップＳ１〜Ｓ９に示すように、外出先の電話機Ｔから電話をすると、電話回線制御回路９が電話回線Ｌを接続するのを待って暗証番号要求音が鳴るため、電話機Ｔから暗証番号を入力する。この暗証番号が正しければコントロ−ル要求音が鳴るため、電話機Ｔのプッシュボタン操作によりコントロ−ル内容を入力すると、要求内容を了解した旨の音が鳴る。そして、コントロ−ル内容に基づいて、記憶部１４に記憶された制御デ−タが読み出され、リモコン信号送信部１２から赤外光のリモコン信号が送信されるため、エアコン等が駆動される。
【００３２】
（４）外出先からエアコン等をコントロ−ルするときの操作
（併設電話機７が電話回線Ｌを接続した場合）
図６の丸１〜丸１３、及び図１２のステップＳ１〜Ｓ８に示すように、外出先の電話機Ｔから電話をすると、留守番機能にセットされた併設電話機７が電話回線Ｌを接続するのを待って電話機Ｔから暗証番号を入力する。この暗証番号が正しければ発音回路１１からのコントロ−ル要求音が鳴るため、電話機Ｔのプッシュボタン操作によりコントロ−ル内容を入力すると、要求内容を了解した旨の音が鳴る。そして、コントロ−ル内容に基づいて、記憶部１４に記憶された制御デ−タが読み出され、リモコン信号送信部１２から赤外光のリモコン信号が送信されるため、エアコン等が駆動される。
【００３３】
（５）テスト操作
（操作部４と表示部５とによりテスト操作する場合）
図７の丸１〜丸７に示すように、図２に示した操作パネルの動作モ−ドスイッチ４Ａをテストに切替え、更にエアコン等のコントロ−ル操作をすると、そのモ−ド信号及び操作信号がマイコン３に伝送されるため、マイコン３は発音回路１１にテストモ−ド音声の発生を指令するとともに、表示部５にコントロ−ル操作に伴う表示をさせる。そしてコントロ−ル操作に基づく制御デ−タを記憶部１４から読み出したうえ、リモコン信号送信部１２から赤外光のリモコン信号が送信されるため、エアコン等がテスト駆動される。
そのため、このテスト操作において、記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００３４】
（６）併設電話機７を使用してテスト操作をする場合
図８の丸１〜丸１２に示すように、図２に示した操作パネルの動作モ−ドスイッチをテストに切替えると、そのモ−ド信号がマイコン３に伝送されるため、マイコン３は表示部５にテストモ−ドであることを表示する。この状態で併設電話機７から電話をかけ、電話回線制御回路９を介した信号がＤＴＭＦト−ン検出回路１０に入力されるとプッシュト−ンが検出され、マイコン３に伝送される。
マイコン３は、発音回路１１から複数の応答音を発生させることにより、併設電話機７からの操作信号を入力し、コントロ−ル内容を認識したうえ、そのコントロ−ル内容に基づいた制御デ−タを記憶回路１４から読み出し、リモコン信号送信部１２から赤外光のリモコン信号を送信させ、エアコン等をテスト駆動させる。
そのため、このテスト操作において、記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００３５】
請求項１のリモ−トコントロ−ルホ−ムオ−トメ−ション装置によれば、電話機から被制御機器を制御するためのリモ−ト操作信号が入力されたとき、制御部は、予め任意にインプットされ、記憶部に記憶された当該被制御機器の制御デ−タを読み出したうえ、その制御デ−タに基づいたリモ−トコントロ−ル信号をリモコン信号送信部から出力させ当該被制御機器を制御することができるため、様々な被制御機器を制御することができるという汎用性を持つという効果がある。
【００３６】
また請求項２のリモ−トコントロ−ルホ−ムオ−トメ−ション装置によれば、被制御機器に附属する携帯型のリモコンから発信されるリモコン信号をリモコン信号受信部で受信することにより、当該被制御機器を制御するための制御デ−タに変換され、記憶部に記憶されるため、電話機から、当該被制御機器を制御するためのリモ−ト操作信号が入力されたとき、制御部は、当該被制御機器を制御するための学習された制御デ−タを記憶部から読み出し、その制御デ−タに応じたリモコン信号を前記リモコン信号送信部から出力させて当該被制御機器を制御することができるため、様々な被制御機器を制御することができるという汎用性を持つという効果がある。
【００３７】
尚、請求項１〜請求項６のリモ−トコントロ−ルホ−ムオ−トメ−ション装置は、一つのケ−スに収納可能であるためコンパクトになり、外部との結線を極めて少なくすることができることから安価になる。
【図面の簡単な説明】
【００３８】
【図１】リモ−トコントロ−ルホ−ムオ−トメ−ション装置の全体的な構成を示したブロック図である。
【図２】リモ−トコントロ−ルホ−ムオ−トメ−ション装置の操作パネルの器具配置図である。
【図３】本体操作時の信号伝送順序説明図である。
【図４】専用リモコン信号記憶時の信号伝送順序説明図である。
【図５】外出先からの電話操作によりエアコン等をコントロ−ルするときの信号伝送順序説明図である。
【図６】外出先からの電話操作によりエアコン等をコントロ−ルするときの他の信号伝送順序説明図である。
【図７】テスト時の信号伝送順序説明図である。
【図８】他のテスト時の信号伝送順序説明図である。
【図９】本体操作時のフロ−チャ−ト図である。
【図１０】専用リモコン信号記憶時のフロ−チャ−ト図である。
【図１１】外出先からの電話操作によりエアコン等をコントロ−ルするときのフロ−チャ−ト図である。
【図１２】外出先からの電話操作によりエアコン等をコントロ−ルするときの他のフロ−チャ−ト図である。
【符号の説明】
【００３９】
１                リモ−トコントロ−ルホ−ムオ−トメ−ション装置
２                ケ−ス
３                マイコン
４                操作部
５                表示部
７                併設電話機
９                電話回線制御回路
１０                ＤＴＭＦト−ン検出回路
１１                発音回路
１２                リモコン信号送信部
１３                リモコン信号受信部
１４                記憶部
Ｒ                  リモコン
Ｍ                  被制御機器
Ｔ                  電話機
Ｌ                  電話回線
【図１】
2005354741.tif 000003
【図２】
2005354741.tif 000004
【図３】
2005354741.tif 000005
【図４】
2005354741.tif 000006
【図５】
2005354741.tif 000007
【図６】
2005354741.tif 000008
【図７】
2005354741.tif 000009
【図８】
2005354741.tif 000010
【図９】
2005354741.tif 000011
【図１０】
2005354741.tif 000012
【図１１】
2005354741.tif 000013
【図１２】
2005354741.tif 000014
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
電話回線を介して、任意の電話機から被制御機器を操作可能なリモートコントロールホームオートメーション装置において、
前記リモートコントロールホームオートメーション装置に無線式の親機を設けるとともに、無線式の子機を設けたサブのリモートコントロールホームオートメーション装置を設け、
前記リモートコントロールホームオートメーション装置には、接続と取り外しが可能な電話機が併設され、
前記任意の電話機から前記電話回線を介して信号を送ると、前記リモートコントロールホームオートメーション装置または前記併設された電話機が前記電話回線と接続し、
前記リモートコントロールホームオートメーション装置は、前記任意の電話機からの信号を受けて前記被制御機器を操作可能であり、
前記サブのリモートコントロールホームオートメーション装置は、前記親機と前記子機との間で無線通信を行うことで、前記任意の電話機からの信号を受けて前記被制御機器を操作可能である、
ことを特徴とするリモートコントロールホームオートメーション装置。
【請求項２】
請求項１に記載のリモートコントロールホームオートメーション装置であって、記憶部とリモコン信号送信部と操作部とを備え、
前記操作部からテストモードが設定されて前記被制御機器のコントロール操作が行われると、前記記憶部に記憶している制御データから前記被制御機器の制御データを読み出して前記リモコン信号送信部からリモートコントロール信号を出力して、前記被制御機器を実際に操作するテスト手段を備える、
ことを特徴とするリモートコントロールホームオートメーション装置。
【請求項３】
請求項２に記載のリモートコントロールホームオートメーション装置であって、
前記操作部からテストモードが設定されて前記併設された電話機からの操作信号が入力されると、入力された操作信号に基づいた制御データを前記記憶部から読み出して前記リモコン信号送信部からリモートコントロール信号を出力して、前記被制御機器を実際に操作するテスト手段を備える、
ことを特徴とするリモートコントロールホームオートメーション装置。
【請求項４】
請求項１〜３のいずれかに記載のリモートコントロールホームオートメーション装置であって、記憶部とリモコン信号送信部とを備え、
前記記憶部は前記被制御機器の制御データを記憶可能であるとともに複数のチャンネルで構成されており、
前記チャンネルには、関連する複数の制御データを１チャンネル内に制御順序とともに記憶することが可能であり、前記任意の電話機から前記チャンネルを用いて、前記複数の制御データに基づいたリモートコントロール信号をシーケンシャルに出力させることが可能である、
ことを特徴とするリモートコントロールホームオートメーション装置。
【請求項５】
請求項４に記載のリモートコントロールホームオートメーション装置であって、
前記チャンネル毎に、複数の被制御機器の個々の制御データを記憶し、前記任意の電話機から前記チャンネルを用いて各制御データに基づいたリモートコントロール信号を出力させることで、複数の被制御機器を個々に操作可能である、
ことを特徴とするリモートコントロールホームオートメーション装置。
【請求項６】
請求項４または５に記載のリモートコントロールホームオートメーション装置であって、操作部を備え、
前記記憶部には、予め複数のメーカの被制御機器に対する制御データが記憶されており、
前記操作部から被制御機器と当該被制御機器のメーカとが指定されると、該当する制御データを前記チャンネルに記憶する、
ことを特徴とするリモートコントロールホームオートメーション装置。
【請求項７】
請求項１〜６のいずれかに記載のリモートコントロールホームオートメーション装置であって、記憶部と操作部とリモコン信号受信部とを備え、
前記操作部にて記憶モードを設定し、前記被制御機器の専用リモコンからのリモートコントロール信号を前記リモコン信号受信部から受信させると、受信したリモートコントロール信号を制御データに変換して前記記憶部に記憶する、
ことを特徴とするリモートコントロールホームオートメーション装置。
【請求項８】
請求項１〜７のいずれかに記載のリモートコントロールホームオートメーション装置であって、発音回路と制御部とを備え、
前記任意の電話機により被制御機器を操作するためのリモート操作が行われると、前記制御部からの指令に基づいて前記発音回路から音声を発生することで、対話式のリモート操作を可能とする、
ことを特徴とするリモートコントロールホームオートメーション装置。
【手続補正２】
【補正対象書類名】明細書
【補正対象項目名】全文
【補正方法】変更
【補正の内容】
【発明の詳細な説明】
【技術分野】
【０００１】
本発明は、家屋あるいは小規模事務所等に装備されたエアコン、ビデオ機器などの被制御機器を電話回線を介してコントロ−ルするためのリモ−トコントロ−ルホ−ムオ−トメ−ション装置に関する。
【背景技術】
【０００２】
従来、家屋あるいは小規模事務所等に装備されたエアコン、ビデオ機器などの被制御機器を電話回線を介してコントロ−ルするためのリモ−トコントロ−ルホ−ムオ−トメ−ション装置は、遠隔の電話機からの操作により電話回線を介して入力されたリモ−ト操作信号をデコ−ドしたうえ、エアコンのオン又はオフ制御信号や、ビデオ機器の録画制御信号などに変換して出力するコントロ−ラと、そのコントロ−ラから出力された上記制御信号を、エアコン又はビデオ機器が入力可能な信号に変換するアダプタとを備え、コントロ−ラとアダプタと被制御機器とを有線接続するように構成されたものがある。
あるいは、上記のように被制御機器に有線接続されるアダプタの代わりに赤外線専用リモコンを用い、コントロ−ラと赤外線専用リモコンとを有線接続するとともに、赤外線専用リモコンから被制御機器に対する信号伝送は赤外線信号で行われるリモ−トコントロ−ルホ−ムオ−トメ−ション装置がある。
【発明の開示】
【発明が解決しようとする課題】
【０００３】
上記従来のリモ−トコントロ−ルホ−ムオ−トメ−ション装置は、エアコン、ビデオ機器などの制御対象となる機器が限定されるため汎用性が無いという問題と、装置が複雑であるとともに有線接続部分が多く、高価であるという問題がある。
【０００４】
そこで本発明では、制御対象となる機器が限定されないという汎用性があり、且つ簡単な構成で有線接続部分が少ないリモ−トコントロ−ルホ−ムオ−トメ−ション装置を提供することを解決すべき技術的課題とするものである。
【課題を解決するための手段】
【０００５】
上記の課題を解決するための第１の技術的手段は、電話回線を介して、任意の電話機から被制御機器を操作可能なリモートコントロールホームオートメーション装置において、前記リモートコントロールホームオートメーション装置に無線式の親機を設けるとともに、無線式の子機を設けたサブのリモートコントロールホームオートメーション装置を設け、前記リモートコントロールホームオートメーション装置には、接続と取り外しが可能な電話機が併設され、前記任意の電話機から前記電話回線を介して信号を送ると、前記リモートコントロールホームオートメーション装置または前記併設された電話機が前記電話回線と接続し、前記リモートコントロールホームオートメーション装置は、前記任意の電話機からの信号を受けて前記被制御機器を操作可能であり、前記サブのリモートコントロールホームオートメーション装置は、前記親機と前記子機との間で無線通信を行うことで、前記任意の電話機からの信号を受けて前記被制御機器を操作可能な構成にすることである。
【０００６】
また第２の技術的手段は、記憶部とリモコン信号送信部と操作部とを備え、前記操作部からテストモードが設定されて前記被制御機器のコントロール操作が行われると、前記記憶部に記憶している制御データから前記被制御機器の制御データを読み出して前記リモコン信号送信部からリモートコントロール信号を出力して、前記被制御機器を実際に操作するテスト手段を備えるように構成することである。
また第３の技術的手段は、前記操作部からテストモードが設定されて前記併設された電話機からの操作信号が入力されると、入力された操作信号に基づいた制御データを前記記憶部から読み出して前記リモコン信号送信部からリモートコントロール信号を出力して、前記被制御機器を実際に操作するテスト手段を備えるように構成することである。
また第４の技術的手段は、記憶部とリモコン信号送信部とを備え、前記記憶部は前記被制御機器の制御データを記憶可能であるとともに複数のチャンネルで構成されており、前記チャンネルには、関連する複数の制御データを１チャンネル内に制御順序とともに記憶することが可能であり、前記任意の電話機から前記チャンネルを用いて、前記複数の制御データに基づいたリモートコントロール信号をシーケンシャルに出力させることが可能であるように構成することである。
また第５の技術的手段は、前記チャンネル毎に、複数の被制御機器の個々の制御データを記憶し、前記任意の電話機から前記チャンネルを用いて各制御データに基づいたリモートコントロール信号を出力させることで、複数の被制御機器を個々に操作可能であるように構成することである。
また第６の技術的手段は、操作部を備え、前記記憶部には、予め複数のメーカの被制御機器に対する制御データが記憶されており、前記操作部から被制御機器と当該被制御機器のメーカとが指定されると、該当する制御データを前記チャンネルに記憶するように構成することである。
また第７の技術的手段は、記憶部と操作部とリモコン信号受信部とを備え、前記操作部にて記憶モードを設定し、前記被制御機器の専用リモコンからのリモートコントロール信号を前記リモコン信号受信部から受信させると、受信したリモートコントロール信号を制御データに変換して前記記憶部に記憶するように構成することである。
また第８の技術的手段は、発音回路と制御部とを備え、前記任意の電話機により被制御機器を操作するためのリモート操作が行われると、前記制御部からの指令に基づいて前記発音回路から音声を発生することで、対話式のリモート操作を可能とするように構成することである。
【発明の効果】
【０００７】
本発明のリモ−トコントロ−ルホ−ムオ−トメ−ション装置によれば、電話機から、リモ−ト操作信号が入力されたとき、制御部は、予め任意にインプットされ、記憶部に記憶された当該被制御機器の制御デ−タを読み出したうえ、その制御デ−タに基づいたリモ−トコントロ−ル信号を前記リモコン信号送信部から出力させ、当該被制御機器を制御する。そのため、あらゆる被制御機器の制御デ−タをインプットしておくことにより、汎用性が高くなる。
【０００８】
また本発明のリモ−トコントロ−ルホ−ムオ−トメ−ション装置によれば、被制御機器に附属する携帯型の専用リモコンから発信されるリモコン信号をリモコン信号受信部で受信することにより、当該被制御機器を制御するための制御デ−タに変換され、記憶部に記憶されるため、電話機から、当該被制御機器を制御するためのリモ−ト操作信号が入力されたとき、制御部は、当該被制御機器を制御するための学習された制御デ−タを記憶部から読み出し、その制御デ−タに応じたリモ−トコントロ−ル信号を前記リモコン信号送信部から出力させて当該被制御機器を制御する。そのため、あらゆる被制御機器がリモ−ト操作可能となり更に汎用性が高くなる。
【０００９】
また本発明のリモ−トコントロ−ルホ−ムオ−トメ−ション装置によれば、テスト手段は、制御デ−タが確実に記憶部に記憶されたか否か、及び実際の作動が確実に行われるか否かを確認する。
【００１０】
また本発明のリモ−トコントロ−ルホ−ムオ−トメ−ション装置によれば、リモ−トコントロ−ル信号をリモコン信号送信部から出力させる際に、関連する制御デ−タに基づいたリモ−トコントロ−ル信号をシ−ケンシャルに出力させることができるため、例えばビデオ録画のように、ビデオオン、テレビチャンネル合わせ、録画といった複数信号の操作が必要なときに、電話機によるリモ−ト操作が簡単になる。
【００１１】
また本発明のリモ−トコントロ−ルホ−ムオ−トメ−ション装置によれば、複数の制御デ−タを各チャンネル毎に割り当てて各制御デ−タに基づいたリモ−トコントロ−ル信号をリモコン信号送信部から出力させることができるため、複数の被制御機器を１台で同時的に制御することができる。
【００１２】
更に本発明のリモ−トコントロ−ルホ−ムオ−トメ−ション装置によれば、電話機により被制御機器を操作するためのリモ−ト操作が行われるとき、リモ−ト操作する人との間で対話によりリモ−ト操作設定を可能とする対話式リモ−ト操作手段を設けたため、リモ−ト操作を簡単に、且つ確実に行うことができる。
【発明を実施するための最良の形態】
【００１３】
次に、本発明の実施例を図面を参照しながら説明する。
図１は、エアコン、ビデオ機器（ビデオ機器内蔵のテレビを含む）、ファンヒ−タ等の被制御機器Ｍを、電話回線Ｌを介した電話機Ｔによるリモ−ト操作によりコントロ−ルするリモ−トコントロ−ルホ−ムオ−トメ−ション装置１の全体的な構成を示したブロック図である。
【００１４】
リモ−トコントロ−ルホ−ムオ−トメ−ション装置１は、１個のケ−ス２の内部に、マイコン３を中枢とする電子回路が収納されたものであり、ケ−ス２の操作面には、図２に示すような操作用、及び表示用部品が配置されている。尚、図２に示した操作用、及び表示用部品は、図１では操作部４、表示部５として一括して示しており、操作部４の操作信号はマイコン３に送られる一方、表示部５に対する表示信号はマイコン３から出力される。
【００１５】
ケ−ス２の側面には、電話回線Ｌのモジュラ−ジャックと接続される回線接続コネクタ６と、併設電話機７と接続される電話機用コネクタ８とが取り付けられている。その回線接続コネクタ６及び電話機用コネクタ８は、電話回線Ｌに適合するインタ−フェイス回路を構成する電話回線制御回路９と接続されている。
【００１６】
上記電話回線制御回路９には、電話回線Ｌを通して受信した音声信号の中からＤＴＭＦト−ン（プッシュト−ン）を認識するためのＤＴＭＦト−ン検出回路１０と、電話回線Ｌに対してオペレ−タ応答のための音を発生させる発音回路１１とが接続されている。そして、ＤＴＭＦト−ン検出回路１０と、発音回路１１とはマイコン３に接続されている。
【００１７】
従って、ＤＴＭＦト−ン検出回路１０は、マイコン３に対してＤＴＭＦト−ン検出信号を出力する一方、発音回路１１は、マイコン３からの指令に基づいてオペレ−タ応答のための音を発生させ、電話回線Ｌに送出する。
【００１８】
マイコン３に接続されたリモコン信号送信部１２は、マイコン３の指令によりエアコン、ビデオ機器（ビデオ機器内蔵のテレビを含む）、ファンヒ−タ等の被制御機器Ｍに対して赤外光のリモコン信号を出力する。この際、リモコン信号送信部１２は、マイコン３から出力された制御デ−タを変調し、この変調された電気信号を赤外光のリモコン信号に変換して出力する。
【００１９】
また、マイコン３に接続されたリモコン信号受信部１３は、被制御機器Ｍそれぞれの専用リモコンＲから発光された赤外光変調リモコン信号を受信し、その受信信号をデ−タに変換したうえ、そのデ−タをマイコン３に出力する。マイコン３はそのデ−タを解析したうえ、当該被制御機器を制御する制御デ−タとして記憶部１４に記憶させる。従って、リモコン信号受信部１３とマイコン３と記憶部１４とは、被制御機器Ｍを制御するための制御デ−タの学習機能を構成する。
【００２０】
上記のように、リモ−トコントロ−ルホ−ムオ−トメ−ション装置１は、上記の学習機能を有するため、被制御機器Ｍの制御デ−タを記憶することができることから、学習された制御デ−タに基づいた被制御機器の制御が可能となり、汎用性を有するものとなる。また、必要な有線接続部は基本的に電話回線Ｌのみである。
【００２１】
また、リモ−トコントロ−ルホ−ムオ−トメ−ション装置１は、前述の操作部４と表示部５とを用いて被制御機器Ｍの制御デ−タをインプットし、その制御デ−タを記憶部１４に記憶させることができる。この場合、前述のリモコン信号受信部１３を機能させなくても良い。
【００２２】
また、前述の操作部４と表示部５とを用いて記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００２３】
上記記憶部１４に記憶される制御デ−タは、様々な形態で記憶される。
例えば、ビデオ機器を録画制御するような制御デ−タを記憶する場合、「ビデオ電源オン」、「テレビチャンネル１にセット」、「録画スタ−ト」というような制御デ−タを１チャンネル（上記のテレビチャンネル１とは異なる）内にシ−ケンシャルに記憶する。このように関連する制御デ−タを１チャンネル内にシ−ケンシャルに記憶することにより、ビデオ機器の制御のように複数の制御デ−タを必要とする場合、前述の電話機Ｔによるリモ−ト操作が簡単になる。
【００２４】
また、例えば「エアコンオン」、「エアコンオフ」、「ビデオ録画テレビチャンネル１」、「ビデオ録画テレビチャンネル５」などの個々の制御デ−タをチャンネル毎の制御デ−タとして記憶部１４に記憶するというように、複数のチャンネルを設けても良い。このように、複数のチャンネルを設けた場合には、同一の部屋に設置された複数の被制御機器Ｍの制御が可能になる。
【００２５】
前述したようにリモ−トコントロ−ルホ−ムオ−トメ−ション装置１には発音回路１１が設けられているため、前述の電話機Ｔによるリモ−ト操作の際、電話機Ｔを操作する人と、発音回路１１から発生される音声との対話が可能である。そのため、電話機Ｔで被制御機器Ｍを制御するためのリモ−ト操作において、例えば「ビデオ録画」の指示を出すと、発音回路１１からテレビチャンネルＮＯの指示要求音声が発生されるため、「テレビチャンネルＮＯ」の指示をすると、録画開始時刻指示要求音声が発生されるため、「録画開始時刻」を指示すると、録画終了時刻指示要求音声が発生されるため、「録画終了時刻」を指示するというように、対話によるリモ−ト操作が可能となる。
【００２６】
このような対話式のリモ−ト操作が可能となるため、前述のチャンネル数を減らすことができる。また、録画開始時刻などの、ほぼ無限の組み合わせも可能であり、かなり複雑なリモ−ト操作も可能になる。
【００２７】
リモ−トコントロ−ルホ−ムオ−トメ−ション装置１において、図示していない無線式の親機を配設し、この親機付きのリモ−トコントロ−ルホ−ムオ−トメ−ション装置１を電話回線のロ−ゼットが設けられた部屋に置く一方、電話回線のロ−ゼットが設置されていない部屋に無線式の子機を設けたサブのリモ−トコントロ−ルホ−ムオ−トメ−ション装置を設置すれば、親機と子機間の電波による信号伝送が可能となり、ロ−ゼットが設置されていない部屋のエアコンなどの制御がサブのリモ−トコントロ−ルホ−ムオ−トメ−ション装置により可能となる。
【００２８】
また、前述したように、リモ−トコントロ−ルホ−ムオ−トメ−ション装置１は、操作部４と表示部５とを用いて被制御機器Ｍの制御デ−タをインプットし、その制御デ−タを記憶部１４に記憶させることができる。そのため、図示していないディップスイッチで、例えばエアコンはシャ−プ（メ−カ−名）に設定し、ビデオ機器はＮＥＣ（メ−カ−名）に設定するとともに、チャンネル１に「エアコンオン」、チャンネル２に「エアコンオフ」、チャンネル３に「ビデオ録画テレビチャンネル１」などとプリセットしておけば、電話機ＴでチャンネルＮＯを指示することにより、リモ−ト操作が可能となる。即ち、学習することなく、前述の記憶部１４に制御デ−タを記憶させることができる。
【００２９】
次に、リモ−トコントロ−ルホ−ムオ−トメ−ション装置１の作用を、図３〜図８の信号伝送順序説明図、及び図９〜図１２の制御フロ−チャ−トに基づいて説明する。
（１）本体の基本操作
本体の基本操作の信号伝送順序は、図３の丸１〜丸３及び図９のステップＳ１〜Ｓ２に示すように、最初、操作部４を操作すると操作部４からの操作信号がマイコン３に伝送されるため、マイコン３から表示部５に対して表示信号が出力され、表示部５に操作に伴う表示が成される。
【００３０】
（２）専用リモコンからのリモコン信号記憶操作
コントロ−ルしたい機器の専用リモコンから発信されるリモコン信号を制御デ−タに変換して記憶部１４に記憶するためのリモコン信号記憶操作であって、図４の丸１〜丸８、及び図１０のステップＳ１〜Ｓ５に示すように、最初、操作部４を記憶モ−ドに設定すると、その記憶モ−ド信号がマイコン３に伝送されるため、マイコン３から表示部５に対して記憶モ−ド表示信号が出力され、表示部５に記憶モ−ドであることが表示される。次に、コントロ−ルしたい機器の専用リモコンのコントロ−ルしたい信号をリモコン信号受信部１３に発信する。リモコン信号受信部１３は、受信したリモコン信号を光電変換し、マイコン３に伝送する。マイコン３は、そのリモコン信号を入力したと同時に発音回路１１で受信音を発生させ、更に、その信号を制御デ−タに変換して記憶部１４に記憶させるとともに、表示部５に記憶が完了した旨の表示をさせる。その表示を確認したうえ、記憶モ−ドを解除する。
【００３１】
（３）外出先からエアコン等をコントロ−ルするときの操作
（リモ−トコントロ−ルホ−ムオ−トメ−ション装置１が電話回線Ｌを接続した場合）
図５の丸１〜丸１２、及び図１１のステップＳ１〜Ｓ９に示すように、外出先の電話機Ｔから電話をすると、電話回線制御回路９が電話回線Ｌを接続するのを待って暗証番号要求音が鳴るため、電話機Ｔから暗証番号を入力する。この暗証番号が正しければコントロ−ル要求音が鳴るため、電話機Ｔのプッシュボタン操作によりコントロ−ル内容を入力すると、要求内容を了解した旨の音が鳴る。そして、コントロ−ル内容に基づいて、記憶部１４に記憶された制御デ−タが読み出され、リモコン信号送信部１２から赤外光のリモコン信号が送信されるため、エアコン等が駆動される。
【００３２】
（４）外出先からエアコン等をコントロ−ルするときの操作
（併設電話機７が電話回線Ｌを接続した場合）
図６の丸１〜丸１３、及び図１２のステップＳ１〜Ｓ８に示すように、外出先の電話機Ｔから電話をすると、留守番機能にセットされた併設電話機７が電話回線Ｌを接続するのを待って電話機Ｔから暗証番号を入力する。この暗証番号が正しければ発音回路１１からのコントロ−ル要求音が鳴るため、電話機Ｔのプッシュボタン操作によりコントロ−ル内容を入力すると、要求内容を了解した旨の音が鳴る。そして、コントロ−ル内容に基づいて、記憶部１４に記憶された制御デ−タが読み出され、リモコン信号送信部１２から赤外光のリモコン信号が送信されるため、エアコン等が駆動される。
【００３３】
（５）テスト操作
（操作部４と表示部５とによりテスト操作する場合）
図７の丸１〜丸７に示すように、図２に示した操作パネルの動作モ−ドスイッチ４Ａをテストに切替え、更にエアコン等のコントロ−ル操作をすると、そのモ−ド信号及び操作信号がマイコン３に伝送されるため、マイコン３は発音回路１１にテストモ−ド音声の発生を指令するとともに、表示部５にコントロ−ル操作に伴う表示をさせる。そしてコントロ−ル操作に基づく制御デ−タを記憶部１４から読み出したうえ、リモコン信号送信部１２から赤外光のリモコン信号が送信されるため、エアコン等がテスト駆動される。
そのため、このテスト操作において、記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００３４】
（６）併設電話機７を使用してテスト操作をする場合
図８の丸１〜丸１２に示すように、図２に示した操作パネルの動作モ−ドスイッチをテストに切替えると、そのモ−ド信号がマイコン３に伝送されるため、マイコン３は表示部５にテストモ−ドであることを表示する。この状態で併設電話機７から電話をかけ、電話回線制御回路９を介した信号がＤＴＭＦト−ン検出回路１０に入力されるとプッシュト−ンが検出され、マイコン３に伝送される。
マイコン３は、発音回路１１から複数の応答音を発生させることにより、併設電話機７からの操作信号を入力し、コントロ−ル内容を認識したうえ、そのコントロ−ル内容に基づいた制御デ−タを記憶回路１４から読み出し、リモコン信号送信部１２から赤外光のリモコン信号を送信させ、エアコン等をテスト駆動させる。
そのため、このテスト操作において、記憶部１４に制御デ−タが正しく記憶されたか否か、また、リモ−トコントロ−ルホ−ムオ−トメ−ション装置１の取付位置、リモコン信号送信部１２の向きなどが適正であるか否かを判断することができる。
【００３５】
請求項１のリモ−トコントロ−ルホ−ムオ−トメ−ション装置によれば、電話機から被制御機器を制御するためのリモ−ト操作信号が入力されたとき、制御部は、予め任意にインプットされ、記憶部に記憶された当該被制御機器の制御デ−タを読み出したうえ、その制御デ−タに基づいたリモ−トコントロ−ル信号をリモコン信号送信部から出力させ当該被制御機器を制御することができるため、様々な被制御機器を制御することができるという汎用性を持つという効果がある。
【００３６】
また請求項２のリモ−トコントロ−ルホ−ムオ−トメ−ション装置によれば、被制御機器に附属する携帯型のリモコンから発信されるリモコン信号をリモコン信号受信部で受信することにより、当該被制御機器を制御するための制御デ−タに変換され、記憶部に記憶されるため、電話機から、当該被制御機器を制御するためのリモ−ト操作信号が入力されたとき、制御部は、当該被制御機器を制御するための学習された制御デ−タを記憶部から読み出し、その制御デ−タに応じたリモコン信号を前記リモコン信号送信部から出力させて当該被制御機器を制御することができるため、様々な被制御機器を制御することができるという汎用性を持つという効果がある。
【００３７】
尚、本発明のリモ−トコントロ−ルホ−ムオ−トメ−ション装置は、一つのケ−スに収納可能であるためコンパクトになり、外部との結線を極めて少なくすることができることから安価になる。
【図面の簡単な説明】
【００３８】
【図１】リモ−トコントロ−ルホ−ムオ−トメ−ション装置の全体的な構成を示したブロック図である。
【図２】リモ−トコントロ−ルホ−ムオ−トメ−ション装置の操作パネルの器具配置図である。
【図３】本体操作時の信号伝送順序説明図である。
【図４】専用リモコン信号記憶時の信号伝送順序説明図である。
【図５】外出先からの電話操作によりエアコン等をコントロ−ルするときの信号伝送順序説明図である。
【図６】外出先からの電話操作によりエアコン等をコントロ−ルするときの他の信号伝送順序説明図である。
【図７】テスト時の信号伝送順序説明図である。
【図８】他のテスト時の信号伝送順序説明図である。
【図９】本体操作時のフロ−チャ−ト図である。
【図１０】専用リモコン信号記憶時のフロ−チャ−ト図である。
【図１１】外出先からの電話操作によりエアコン等をコントロ−ルするときのフロ−チャ−ト図である。
【図１２】外出先からの電話操作によりエアコン等をコントロ−ルするときの他のフロ−チャ−ト図である。
【符号の説明】
【００３９】
１                リモ−トコントロ−ルホ−ムオ−トメ−ション装置
２                ケ−ス
３                マイコン
４                操作部
５                表示部
７                併設電話機
９                電話回線制御回路
１０                ＤＴＭＦト−ン検出回路
１１                発音回路
１２                リモコン信号送信部
１３                リモコン信号受信部
１４                記憶部
Ｒ                  リモコン
Ｍ                  被制御機器
Ｔ                  電話機
Ｌ                  電話回線